(57)【要約】      （修正有）【課題】煩雑な操作を行わずに、実行したい動作モードを容易に選択することができる処理装置を提供する。【解決手段】複合機５０は、メイン電源基板２０、通電切換部２６、操作パネル１０、及び制御部３０を備える。メイン電源基板２０は、複数の処理ユニットへ電力を供給する。通電切換部２６は、メイン電源基板２０と複数の処理ユニットとの間の通電態様をそれぞれ別個に切換可能とする。操作パネル１０は、複合機５０を表すアイコンと複合機５０における複数の処理ユニットの通電態様を表示する。制御部３０は、ユーザがタッチしたアイコンの処理ユニットへの通電態様を切り換えるよう通電切換部２６を制御し、該処理ユニットに関連する動作モードを操作パネル１０に表示する。制御部３０は、ユーザが選択した動作モードに対応付けられた処理ユニットへの通電態様を切り換えるよう通電切換部２６を制御する。【選択図】図２
2011087160.tif 000002
【特許請求の範囲】
【請求項１】
各種の処理を実行する複数のユニットへの電力供給を別個に切り換え可能であり、選択された動作モードに応じて前記複数のユニットへの電力供給を制御する処理装置であって、
複数の動作モードと各動作モードの実行に必要なユニットとを関連付けて記憶する記憶手段と、
前記複数のユニットの中から前記電力供給を切り換えるユニットの選択操作を受け付けるユニット選択手段と、
前記記憶手段を参照して、前記ユニット選択手段により選択されたユニットに応じた動作モードを選択可能とする制御手段と、を備える処理装置。
【請求項２】
前記制御手段は、前記ユニット選択手段が選択されたユニットが非通電状態の場合に、前記記憶手段を参照して、該ユニットに関連付けられた動作モードを選択可能とする請求項１に記載の処理装置。
【請求項３】
前記制御手段は、前記ユニット選択手段が選択されたユニットが通電状態の場合に、前記記憶手段を参照して、該ユニットに関連付けられていない動作モードを選択可能とする請求項１または２に記載の処理装置。
【請求項４】
前記複数のユニットをアイコン表示する表示手段を更に備え、
前記ユニット選択手段は、前記表示手段に表示された各ユニットのアイコンの押下を、前記電力供給を切り換えるユニットの選択操作として受け付け、
前記制御手段は、選択可能とする動作モードを前記表示手段に表示する請求項１〜３のいずれかに記載の処理装置。
【請求項５】
前記制御手段は、前記ユニット選択手段が選択したユニットへの前記電力供給を切り換えを示す表示態様を前記表示手段に表示する請求項１〜４のいずれかに記載の処理装置。
【請求項６】
前記制御手段は、前記複数のユニットの消費電力に関する情報を前記表示手段に表示する請求項１〜５のいずれかに記載の処理装置。
【請求項７】
前記制御手段は、前記複数のユニットへの電力供給を切り換えることで、ユニットに電力供給している状態である通電状態、ユニットに電力供給していない状態である非通電状態、及びユニットを余熱している状態である余熱状態に、通電態様を変更する請求項１〜６に記載の処理装置。
【請求項８】
前記複数のユニットの中に記録媒体上に画像を形成する画像形成部を含む画像形成装置である請求項１〜７に記載の処理装置。
【発明の詳細な説明】
【技術分野】
【０００１】
本発明は、各種の処理を実行する複数のユニットを備えた処理装置に関する。
【背景技術】
【０００２】
複写機、プリンタ、スキャナ、ファックスなどの機能を併せ持つマルチファンクションプリンタ等の処理装置は、多数のユニットから構成されおり、全てのユニットに対して常に通電を行っていると、待機中のユニットに対しても電力を消費するため、消費電力が大きくなる。このため、従来の処理装置の中には、待機時間が所定時間以上になった場合に、スリープモードに移行することによって主電源ユニットから各ユニットに対する通電を停止することで、消費電力を削減するものがあった。
【０００３】
また、従来の複合機の中には、選択されたモードの実行に必要なユニットに対してのみ電力を供給するものが存在する（例えば、特許文献１参照。）。
【先行技術文献】
【特許文献】
【０００４】
【特許文献１】特開２００８−１６０４１３号公報
【発明の概要】
【発明が解決しようとする課題】
【０００５】
特許文献１に記載の複合機の操作部は、実行可能な複数の動作モード（例えば、プリンタモード、ＦＡＸモード、スキャンモード、ＵＳＢモード、コピーモード等）の全ての中から、実行させたい１つの動作モードを選択することになり、煩雑な操作が必要になる。また、同じ内容の処理を行う動作モードについて複合機の機種毎にモード名が異なる場合があるため、実行させたい動作モードを容易に選択することができなかった。
【０００６】
この発明は、煩雑な操作を行わずに、実行させたい動作モードを容易に選択することができる処理装置を提供することを目的とする。
【課題を解決するための手段】
【０００７】
この発明に係る処理装置は、例えば、画像形成装置、システムコンポ、テレビとレコーダ等であり、各種の処理を実行する複数のユニットを備える。例えば、画像形成装置の場合、ユニットの例としては、ＦＡＸ通信ユニット、カードリーダ、ＵＳＢインターフェース等のインターフェースユニット、センサユニット、プリンタユニット、後処理ユニット、スキャナユニット、記録ユニット、操作ユニット、給紙ユニット、及び大容量給紙ユニット等が挙げられる。
【０００８】
この処理装置は、複数の動作モードと、各動作モードの実行に必要なユニットとを関連付けて記憶手段に記憶している。例えば、画像形成装置の場合、動作モードの例としては、プリンタモード、ＦＡＸモード、スキャンモード、ＵＳＢモード、コピーモード等が挙げられる。
【０００９】
この処理装置は、複数のユニットの中から電力供給を切り換えるユニットがユーザにより選択されると、記憶手段を参照して、選択されたユニットに応じた動作モードを選択可能とする。そして、処理装置は、選択可能とした動作モードの中から、ユーザにより動作モードが選択されると、記憶手段を参照して、選択された動作モードに応じたユニットへの電力供給を制御する。
【００１０】
この構成において、制御手段は、選択されたユニットが非通電状態の場合に、当該ユニットに関連付けられた動作モードを選択可能とする構成を備えることが好ましい。これにより、処理装置は、選択されたユニットを使用する動作モードの中から実行する動作モードを選択させることで、選択肢（選択可能な動作モード）を減らすことができるため、煩雑な操作をせずに、ユーザに実行する動作モードを容易に選択させることができる。
【００１１】
制御手段は、選択されたユニットが通電状態の場合に、当該ユニットに関連付けられていない動作モードを選択可能とする構成を備えることが好ましい。これにより、処理装置は、使用しないユニットを選択させたのち、更に、選択したユニット以外のユニットを使用する動作モードの中から実行しない動作モードを選択させることで、選択肢（選択可能な動作モード）を減らすことができる。このため、処理装置は、煩雑な操作をせずに、ユーザに使用しないユニットを漏れなく選択させることができる。
【００１２】
また、複数のユニットを選択可能なアイコンとして表示するタッチパネルを備えることが好ましい。この場合、タッチパネル上のアイコンの押下により、押下されたアイコンのユニットが選択される。そして、選択されたユニットに応じた動作モードをタッチパネル上に選択可能に表示する。これにより、処理装置は、ユニットや動作モードの選択における操作性や視認性を向上させることできる。
【００１３】
制御手段は、ユニットへの電力供給の切り換えを示す表示態様（例えば、通電態様を切り換えたユニットのアイコンを点滅させる等）とする構成を備えること好ましい。これにより、処理装置は、通電態様を切り換えたユニットを容易に認識させることができる。
【００１４】
また、各ユニットに対する電源供給状態とともに各ユニットまたは複合機全体の少なくともいずれかの消費電力値を表示する構成が好ましい。これにより、処理装置は、一目で消費電力値を知ることができるため、消費電力の削減状況を容易に知らせることができる。
【００１５】
また、ユニットへ電力供給している状態である通電状態、ユニットへ電力供給していない状態である非通電状態、及びユニットを余熱している状態である余熱状態を含む通電態様を有する構成が好ましい。これにより、処理装置は、ユニット（例えば、画像形成装置におけるプリンタユニット）の通電態様を余熱状態にしておくことで、非通電状態から通電を開始するより、当該ユニットを短時間で使用することができる。
【００１６】
上述の構成の処理装置が画像形成装置であることが好ましい。
【発明の効果】
【００１７】
この発明によれば、処理装置は、煩雑な操作をせずに、ユーザに動作モードを容易に選択することができる。
【図面の簡単な説明】
【００１８】
【図１】本発明の実施形態に係る複合機の概略を示す図である。
【図２】複合機のブロック図である。
【図３】操作パネルの構成例を示す図である。
【図４】処理ユニット対応表の一例を示す図である。
【図５】レディモードの表示態様の例を示す図である。
【図６】スリープモードの表示態様の例を示す図である。
【図７】余熱モードの表示態様の例を示す図である。
【図８】画像形成部への通電を開始した場合の表示態様の例を示す図である。
【図９】画像形成部を使用する場合の表示態様の例を示す図である。
【図１０】原稿読取部への通電を開始した場合の表示態様の例を示す図である。
【図１１】画像形成部と原稿読取部への通電を開始した場合の表示態様の例を示す図である。
【図１２】画像形成部への通電を停止した場合の表示態様の例を示す図である。
【図１３】画像形成部を使用しない場合の表示態様の例を示す図である。
【図１４】画像形成部を使用しない場合の表示態様の例を示す図である。
【図１５】複合機における通電制御手順の例を示すフローチャートである。
【図１６】複合機における通電制御手順の例を示すフローチャートである。
【図１７】画像形成部を使用する場合の表示形態の他の例を示す図である。
【発明を実施するための形態】
【００１９】
図１に示すように、複合機５０は、外部から伝達された画像データに応じて、所定の用紙（記録用紙）に対して多色及び単色の画像を形成するもので、画像形成部８２及び原稿読取部５８を備える。
【００２０】
画像形成部８２は、光走査装置８８、現像器９１、感光体ドラム９０、クリーナユニット９３、帯電器９２、中間転写ベルトユニット９５、定着ユニット７４、給紙カセット７１、第１の排紙トレイ８０、第２の排紙トレイ１００、及び用紙の搬送方向を切り換えるための複数のフラッパ（図示省略）等を有する。
【００２１】
画像形成部８２の上部には、原稿が載置される透明ガラスからなる原稿載置台５４が設けられ、原稿載置台５４の上側には自動原稿処理装置５６が取り付けられている。自動原稿処理装置５６は、原稿載置台５４の上に自動で原稿を搬送する。また自動原稿処理装置５６は矢印５２の方向に回動自在であり、原稿載置台５４の上を開放することにより原稿を手置きで置くことができる。
【００２２】
光走査装置８８は、入力された画像データに基づいて感光体ドラム９０の表面に静電潜像を形成する。現像器９１はそれぞれの感光体ドラム９０上に形成された静電潜像を４色（ＹＭＣＫ）のトナーにより顕像化する。帯電器９２は、感光体ドラム９０の表面を所定の電位に均一に帯電させる。クリーナユニット９３は、現像・画像転写後における感光体ドラム９０上の表面に残留したトナーを、除去・回収する。
【００２３】
感光体ドラム９０の上方に配置されている中間転写ベルトユニット９５は、中間転写ベルト９４、中間転写ベルト駆動ローラ８５、中間転写ベルト従動ローラ８４、中間転写ローラ９６、及び中間転写ベルトクリーニングユニット８６を備える。中間転写ベルト駆動ローラ８５、中間転写ベルト従動ローラ８４、及び中間転写ローラ９６は、中間転写ベルト９４を張架して回転駆動させる。
【００２４】
中間転写ベルト９４は、各感光体ドラム９０に接触するように設けられている。そして、感光体ドラム９０に形成された各色のトナー像を中間転写ベルト９４に順次的に重ねて転写することによって、中間転写ベルト９４上にカラーのトナー像を形成する。感光体ドラム９０から中間転写ベルト９４へのトナー像の転写は、中間転写ベルト９４の裏側に接触している中間転写ローラ９６によって行われる。中間転写ローラ９６には、トナー像を転写するために高電圧の転写バイアスが印加されている。
【００２５】
各感光体ドラム９０上で各色相に応じてトナー像は中間転写ベルト９４で積層される。このように、積層された画像情報は中間転写ベルト９４の回転によって、用紙と中間転写ベルト９４の接触位置に配置される転写ローラ８７によって用紙上に転写される。中間転写ベルト９４と転写ローラ８７は所定ニップで圧接されるとともに、転写ローラ８７にはトナーを用紙に転写させるための電圧が印加される。
【００２６】
感光体ドラム９０に接触することにより中間転写ベルト９４に付着したトナー、もしくは転写ローラ８７によって用紙上に転写が行われず中間転写ベルト９４上に残存したトナーは、次工程でトナーの混色を発生させる原因となるために、中間転写ベルトクリーニングユニット８６によって除去・回収されるように設定されている。
【００２７】
給紙カセット７１は、画像形成に使用する用紙（記録用紙）を蓄積しておくためのトレイであり、画像形成部８２の光走査装置８８の下側に設けられている。また手差し給紙カセット７８にも画像形成に使用する用紙を置くことができる。
【００２８】
なお、第１の排紙トレイ８０は、画像形成部８２の上方に設けられており、画像形成済みの用紙をフェイスダウンで集積する。一方で、第２の排紙トレイ１００は、複合機５０の筐体の外側に配置されており、画像形成済みの用紙をフェイスアップで集積する。
【００２９】
また、画像形成部８２には、給紙カセット７１及び手差し給紙カセット７８の用紙を転写ローラ８７や定着ユニット７４を経由させて第１の排紙トレイ８０または第２の排紙トレイ１００に送るための、略垂直形状の用紙搬送路７７が設けられている。給紙カセット７１または手差し給紙カセット７８から第１の排紙トレイ８０および第２の排紙トレイ１００までの用紙搬送路７７の近傍には、ピックアップローラ７３，７５、複数の搬送ローラ６２，６４，６６，６８、レジストローラ７９、転写ローラ８７、定着ユニット７４等が配されている。
【００３０】
搬送ローラ６２，６４，６６，６８は、用紙の搬送を促進・補助するための小型のローラであり、用紙搬送路７７に沿って複数設けられている。またピックアップローラ７３は、給紙カセット７１の端部近傍に備えられ、給紙カセット７１から用紙を１枚ずつピックアップして用紙搬送路７７に供給する。同様にまたピックアップローラ７５は、手差し給紙カセット７８の端部近傍に備えられ、手差し給紙カセット７８から用紙を１枚ずつピックアップして用紙搬送路７７に供給する。
【００３１】
また、レジストローラ７９は、用紙搬送路７７を搬送されている用紙を一旦保持する。そして、感光体ドラム９０上のトナー像の先端と用紙の先端を合わせるタイミングで用紙を転写ローラ８７に搬送する機能を有している。
【００３２】
定着ユニット７４は、ヒートローラ７２及び加圧ローラ７６を備えており、ヒートローラ７２及び加圧ローラ７６は、用紙を挟んで回転する。またヒートローラ７２は、図示しない温度検出器からの信号に基づいて制御部によって所定の定着温度となるように設定されており、加圧ローラ７６とともにトナーを用紙に熱圧着することにより、用紙に転写された多色トナー像を溶融・混合・圧接し、用紙に対して熱定着させる。またヒートローラ７２を外部から加熱するための外部加熱ベルト７０が設けられている。
【００３３】
図２に示すように、複合機５０は、レディ（通常動作）モード時の電力供給源となるメイン電源基板２０、スリープモード時の電力供給源となるサブ電源基板２２、及び制御部３０を備える。レディモードは、各処理ユニットが通電されていない状態である。スリープモードは、外部からの入力信号を受信するインターフェース以外の処理ユニットが通電されていない状態である。
【００３４】
制御部３０は、ＲＯＭ３３、ＲＡＭ３４、電源制御部３２、画像処理基板３５、及びＣＰＵ３１を備える。ＲＯＭ３３は、複合機５０の動作に必要な複数のプログラムや後述する処理ユニット対応表（図４参照）を格納する。ＲＡＭ３４は、ＣＰＵ３１が直接アクセス可能であり、一時的に必要なデータの格納を行うための揮発性メモリである。電源制御部３２は、サブ電源基板２２からの電力によって動作し、複合機５０の各処理ユニットに対する電力供給制御を行う。画像処理基板３５は、入力された画像データに対して定められた手順にて画像処理を実行する。ＣＰＵ３１は、ＲＯＭ３３から読み出したプログラムに基づいて複合機５０の各部を統括的に制御する。また、ＣＰＵ３１は、ＲＯＭ３３から読み出した処理ユニット対応表に基づいて、電源制御部３２や画像処理基板３５を制御する。
【００３５】
制御部３０には、原稿読取部５８、画像形成部８２、給紙カセット７１、記憶部２４、インターフェース部４０、記憶部２４、及び操作パネル１０が接続される。この実施形態では、これらの原稿読取部５８、画像形成部８２、給紙カセット７１、インターフェース部４０、記憶部２４、操作パネル１０、及び画像処理基板３５がこの発明の処理ユニットである。
【００３６】
インターフェース部４０は、外部機器との通信を行う。この実施形態では、インターフェース部４０は、ＦＡＸ通信部４０１、ＵＳＢデバイス接続部４０２、ＵＳＢホスト接続部４０３、及びＬＡＮ接続部４０４が設けられている。記憶部２４は、大量の画像データ等を格納可能なハードディスクドライブを備える。
【００３７】
操作パネル１０は、図３に示すように、表示部１２及び操作部１４を備える。表示部１２は、例えば液晶ディスプレイである。表示部１２は、複合機５０を表すアイコンを表示し、かつ、制御部３０からの制御信号に基づいて、各処理ユニットの通電態様（通電状態または非通電状態）を示す情報を複合機５０のアイコンに付加して表示する。また、この実施形態では、表示部１２には、アイコンに対するタッチ操作を検出して、操作がされた位置情報を制御部３０に対して出力するタッチパネル部が採用されている。
【００３８】
操作部１４は、レディモードへの移行を指示するための省エネ用キースイッチ１４１やスリープモードへの移行を指示するための節電用キースイッチ１４２を含む複数のキースイッチを有するパネル部１４４と、テンキー等の複数の操作キーを有する操作キー群１４６とを備える。
【００３９】
画像処理基板３５、原稿読取部５８、画像形成部８２、給紙カセット７１、インターフェース部４０、記憶部２４、及び操作パネル１０は、通電切換部２６を介してメイン電源基板２０に接続される。通電切換部２６は、メイン電源基板２０からの供給電源を選択的に通電状態または非通電状態にスイッチするための複数のＦＥＴ基板２６１〜２６６を備える。電源制御部３２からの制御信号に基づいてＦＥＴ基板２６１〜２６６のオン／オフが切り換えられることによって、メイン電源基板２０から画像処理基板３５、原稿読取部５８、画像形成部８２、給紙カセット７１、インターフェース部４０、記憶部２４、及び操作パネル１０に対する電力供給が制御される。
【００４０】
ここで、図４を参照して、モード毎に通電される処理ユニットについて説明する。処理ユニット対応表は、モードと各モードの実行時に通電される処理ユニットとの対応関係を示し、ＲＯＭ３３に記憶されている。処理ユニット対応表では、モード毎に当該モードの実行に必要な処理ユニットを○で示す。なお、給紙カセット７１は、画像形成部８２と同じように通電制御が行われる。また、処理ユニット対応表には、各種動作モードが登録されているが、これらの動作モードに限らない。
【００４１】
プリンタモードでは、画像形成部８２、及びＬＡＮ接続部４０４を通電し、ＬＡＮ接続部４０４から入力されたデータに基づいて画像形成部８２が画像形成を行う。ＦＡＸ送信モードでは、原稿読取部５８、ＦＡＸ通信部４０１、及び記憶部２４を通電し、原稿読取部５８が読み取ったデータを記憶部２４に記憶した後、当該データをＦＡＸ通信部４０１がＦＡＸ送信する。スキャンＰＣモードでは、原稿読取部５８、ＬＡＮ接続部４０４、及び記憶部２４を通電し、原稿読取部５８が読み取ったデータを記憶部２４に記憶した後、当該データをＬＡＮ接続部４０４を介してＰＣへ送信する。スキャンＨＤＤモードでは、原稿読取部５８、及び記憶部２４を通電し、原稿読取部５８が読み取ったデータを記憶部２４へ記憶する。スキャンＵＳＢモードでは、原稿読取部５８、ＵＳＢデバイス接続部４０２、ＵＳＢホスト接続部、及び記憶部２４を通電し、原稿読取部５８が読み取ったデータを記憶部２４に一時記憶した後、当該データをＵＳＢデバイス接続部４０２又はＵＳＢホスト接続部ＵＳＢから出力する。ＵＳＢ印刷モードでは、ＵＳＢデバイス接続部４０２、画像形成部８２、ＵＳＢホスト接続部、及び記憶部２４を通電し、ＵＳＢデバイス接続部４０２またはＵＳＢホスト接続部４０３から入力されたデータを記憶部２４に記憶した後、当該データに基づいて画像形成部８２が画像形成を行う。コピーモードでは、原稿読取部５８、画像形成部８２、及び記憶部２４を通電し、原稿読取部５８が読み取ったデータを記憶部２４に記憶した後、当該データに基づいて画像形成部８２が画像形成を行う。
【００４２】
次に、図５〜図７を用いて、表示部１２に表示される表示画面について説明する。図５、図６に示すように、複合機５０のアイコンにおける各処理ユニットに対応する箇所を、通電状態であれば明るく表示する一方で、非通電状態であれば暗く表示している。また、複合機５０を表すアイコンにおける各処理ユニットに対応する位置に、各処理ユニットを表すアイコンを表示するため、各処理ユニットの機能が一目で把握できる。また、図５に示すように、複合機５０のアイコンにおける各処理ユニットに対応する箇所に、消費電力を示す情報も付加されている。
【００４３】
以上のように、表示部１２の表示によって、複合機５０がレディモードまたはスリープモードのいずれであるのかが一目で把握することが可能であるが、表示部１２の表示のバリエーションには動作モードを示す表示態様も含まれている。
【００４４】
図７は、スリープモードから余熱モードへ移行した際のアイコンを示している。余熱モードでは、画像形成部８２への通電のオン／オフを繰り返し切り換えることで、操作パネル１０のタッチパネル部を通して予め画像形成部８２を余熱させておく。このように予め画像形成部８２を余熱しておくことにより、画像形成部８２が使用可能となる時間を短縮することができる。
【００４５】
また、余熱モードでは、表示部１２にも余熱モード中であることを示すアイコンを表示するようにしている。余熱モード中には、アイコンにおける画像形成部８２に対応する位置がグレー表示にされることによって、画像形成部８２が現在余熱中であることが示される。また、スリープモードから余熱モードへの移行指示や、レディモードや各種動作モードから所定時間経過時に、余熱モードへ移行する。そして、余熱モードのまま所定時間経過すると、スリープモードへ移行する。なお、余熱が完了した後には、アイコンにおける画像形成部８２に対応する位置を、通電状態と同様の表示に変更するようにしても良い。
【００４６】
次に、図８〜図１４を用いて、処理ユニット対応表を用いた通電制御による表示画面の一例を説明する。複合機５０は、アイコンにおける各処理ユニットに対応する位置に対するタッチ操作によって、各処理ユニットへの通電のオン／オフを直接切り換える。
【００４７】
例えば、図８（Ａ）は、スリープモード時に、マニュアル操作にて画像形成部８２に対する通電を開始した状態のアイコンを示している。スリープモード時にアイコンにおける画像形成部８２に対応する位置をタッチすることにより、画像形成部８２に対して通電を開始させる。この際、画像形成部８２のアイコンを明るくしたり暗くしたりして所定時間（例えば１５秒、３０秒等）点滅させたのち、画像形成部８２のアイコンを明るく表示する。この点滅により、画像形成部８２に通電を開始したことが分かる。
【００４８】
また、画像形成部８２のアイコンに対応する位置がタッチされると、図８（Ｂ）に示す選択画面が表示部１２に表示される。この選択画面では、画像形成部８２への通電が必要な動作モード（プリンタモード、ＵＳＢ印刷モード、コピーモード）が選択可能なアイコンとして表示される。
【００４９】
プリンタモードが選択されると、プリンタモードの実行に用いるＬＡＮ接続部４０４へ通電を開始して、図９（Ａ）に示すプリンタモード時のアイコンを表示する。ＵＳＢ印刷モードが選択されると、ＵＳＢ印刷モードの実行に用いるＵＳＢデバイス接続部４０２、ＵＳＢホスト接続部４０３、及び記憶部２４へ通電を開始して、図９（Ｂ）に示すＵＳＢ印刷モード時のアイコンを表示する。コピーモードが選択されると、コピーモードの実行に用いる原稿読取部５８、及び記憶部２４へ通電を開始して、図９（Ｃ）に示すコピーモード時のアイコンを表示する。なお、選択した各動作モードにおいて、通電が不要となる処理ユニットへの通電を停止する。
【００５０】
また、図１０（Ａ）は、スリープモード時に、マニュアル操作にて原稿読取部５８に対する通電を開始した状態のアイコンを示している。スリープモード時にアイコンにおける原稿読取部５８に対応する位置をタッチすることにより、原稿読取部５８に対して通電を開始させる。この際、原稿読取部５８のアイコンを明るくしたり暗くしたりして所定時間点滅させたのち、原稿読取部５８のアイコンを明るく表示する。この点滅により、原稿読取部５８に対して通電を開始したことが分かる。
【００５１】
また、原稿読取部５８のアイコンに対応する位置がタッチされると、図１０（Ｂ）に示す選択画面が表示部１２に表示される。この選択画面には、原稿読取部５８への通電が必要な動作モードが選択可能なアイコンとして表示される。いずれかの動作モードが選択されると、選択された動作モードの実行に必要な処理ユニットへ通電を開始して、当該動作モードのアイコンを表示する。なお、選択した各動作モードにおいて、通電が不要となる処理ユニットへの通電を停止する。
【００５２】
また、図１１（Ａ）は、スリープモード時に、マニュアル操作にて原稿読取部５８と画像形成部８２とに対する通電を開始した状態のアイコンを示している。スリープモード時にアイコンにおける原稿読取部５８と画像形成部８２とに対応する位置をタッチすることにより、原稿読取部５８と画像形成部８２とに対して通電を開始させる。この際、原稿読取部５８のアイコンと画像形成部８２のアイコンとを明るくしたり暗くしたりして所定時間点滅させたのち、これらのアイコンを明るく表示する。この点滅により、原稿読取部５８と画像形成部８２とに通電を開始したことが分かる。
【００５３】
また、原稿読取部５８のアイコンに対応する位置と画像形成部８２のアイコンに対応する位置とがタッチされると、図１０（Ｂ）に示す選択画面が表示部１２に表示される。この選択画面には、原稿読取部５８と画像形成部８２とへの通電が必要なコピーモードが選択可能なアイコンとして表示される。
【００５４】
以上のように、複合機５０は、使用する処理ユニットを選択させたのち、当該処理ユニットを使用する動作モードの中から実行する動作モードを選択させることで、選択肢（選択可能な動作モード）を減らすことができる。この結果、ユーザは、煩雑な操作をせずに、実行する動作モードを容易に選択することができる。
【００５５】
また、図１２（Ａ）は、レディモード時に、マニュアル操作にて画像形成部８２に対する通電を停止した状態のアイコンを示している。レディモード時にアイコンにおける画像形成部８２に対応する位置をタッチすることにより、画像形成部８２に対して通電を停止させる。この際、画像形成部８２のアイコンを明るくしたり暗くしたりして所定時間点滅させたのち、画像形成部８２のアイコンを暗く表示する。この点滅により、画像形成部８２に対して通電を停止したことが分かる。
【００５６】
また、画像形成部８２のアイコンに対応する位置がタッチされると、図１２（Ｂ）に示す選択画面が表示部１２に表示される。この選択画面には、画像形成部８２への通電が不要な動作モード（ＦＡＸ送信モード、スキャンＰＣモード、スキャンＨＤＤモード、及びスキャンＵＳＢモード）が選択可能なアイコンとして表示される。
【００５７】
ＦＡＸ送信モードが選択されると、ＦＡＸ送信モードの実行のみに用いるＦＡＸ通信部４０１へ通電を停止するとともに、図１３（Ａ）に示すアイコンを表示する。スキャンＰＣモードが選択されると、スキャンＰＣモードの実行のみに用いるＬＡＮ接続部４０４へ通電を停止するとともに、図１３（Ｂ）に示すアイコンを表示する。スキャンＨＤＤモードが選択されると、スキャンＨＤＤモードの実行のみに用いる処理ユニットが存在しないため、図１４（Ａ）に示すアイコンを表示する。スキャンＵＳＢモードが選択されると、スキャンＵＳＢモードの実行のみに用いるＵＳＢデバイス接続部４０２、及びＵＳＢホスト接続部４０３へ通電を停止するとともに、図１４（Ｂ）に示すアイコンを表示する。
【００５８】
以上のように、複合機５０は、使用しないユニットを選択させたのち、更に、選択したユニット以外のユニットを使用する動作モードの中から実行しない動作モードを選択さ
せることで、選択肢（選択可能な動作モード）を減らすことができる。このため、ユーザは、煩雑な操作をせずに、使用しないユニットに対して漏れなく通電を停止させることができる。
【００５９】
続いて、図１５及び図１６を用いて各処理ユニットへ対する通電制御の手順を説明する。複合機５０の主電源がオンになり起動している状態（レディモード）では、制御部３０は、ジョブの入力がされるか否かを監視している（Ｓ１）。Ｓ１の監視ステップにてジョブの入力がされた場合には、制御部３０は入力されたコマンドに基づいてジョブの実行を行う（Ｓ１０）。
【００６０】
一方で、ジョブの入力がされない場合には、制御部３０は、操作パネル１０に対して通電設定操作がされたか否かを判断する（Ｓ２）。Ｓ２の判断ステップにおいて、通電設定操作がされない場合には、待機時間が所定時間以上になっているか否かを判断する（Ｓ３）。制御部３０は、待機時間が所定時間以上になっている場合に、スリープモードへ移行する（Ｓ１１）。これに対して、Ｓ２の判断ステップにおいて、通電設定操作がされた場合には、制御部３０はその通電設定操作がスリープモードへの移行を指示するものであるか否かを判断する（Ｓ４）。
【００６１】
Ｓ４の判断ステップにおいて、通電設定操作がスリープモードへの移行を指示するもの（すなわち、節電用キースイッチ１４２等の操作）である場合には、制御部３０は、スリープモードへ移行する（Ｓ１１）。一方で、通電設定操作がスリープモードへの移行を指示するものではなく、通電を停止すべき処理ユニットを指定する操作がされた場合（例えば、画像形成部８２のアイコンをタッチした場合）には、制御部３０は、その操作内容に基づいて通電を停止すべき処理ユニット（画像形成部８２）への通電を停止する（Ｓ５）。そして、制御部３０は、当該処理ユニット（画像形成部８２）のアイコンを点滅させて、変更後の通電態様を示すアイコン（図１２（Ａ）参照）を表示部１２に表示する（Ｓ６）。また、制御部３０は、処理ユニット対応表（図４参照）を参照して、通電態様を変更した処理ユニット（画像形成部８２）に関連しない全ての動作モード（図８（Ｂ）参照）を表示部１２に表示し、ユーザに動作モードを選択させる（Ｓ７）。制御部３０は、処理ユニット対応表を参照して、ユーザが選択した動作モード（例えば、ＦＡＸ送信モード）のみで使用する処理ユニット（ＦＡＸ通信部４０１）への通電を停止し（Ｓ８）、変更後の通電態様を示すアイコン（図１３（Ａ）参照）を表示部１２に表示する（Ｓ９）。
【００６２】
Ｓ１１のスリープモード移行ステップにおいては、制御部３０が電源制御部３２を介して通電切換部２６を制御することによって、各処理ユニットに対する通電を停止する。そして、スリープモードであることを示すアイコン（図６参照）を表示部１２に表示する（Ｓ１２）。
【００６３】
複合機５０がスリープモードに移行した後、制御部３０は復帰トリガとなるジョブの入力があるか否かを常時監視している（Ｓ２１）。Ｓ２１の監視ステップにおいて、ジョブの入力がされた場合には、制御部３０は入力されたジョブの実行に係る処理ユニットに対する通電を開始し（Ｓ２２）、通電態様の変更を反映したアイコンを表示部１２に表示する（Ｓ２３）。その後、ジョブを実行し（Ｓ１０）、その後はＳ１の判断ステップに移行し、上述と同様の処理を実行する。一方で、Ｓ２１の監視ステップにおいて、ジョブの入力がされない場合には、制御部３０は、レディモードへの移行が指示されたか否か（スリープモードの解除操作がされたか否か）を監視する（Ｓ２４）。
【００６４】
Ｓ２４の監視ステップにおいて、省エネ用キースイッチ１４１等の操作によってレディモードへの移行が指示された場合には、制御部３０は全部の処理ユニットに対する通電を開始し（Ｓ２５）、通電態様の変更を反映したアイコン（図５参照）を表示部１２に表示する（Ｓ２６）。なお、その後は、Ｓ１の判断ステップに移行し、上述と同様の処理を実行する。これに対して、Ｓ２４の監視ステップにおいて、レディモードへの移行が指示されない場合には、図８〜図１４にて示したような通電すべき処理ユニットを指定する操作がされるか否かを監視する（Ｓ２７）。
【００６５】
Ｓ２７の監視ステップにおいて、通電すべき処理ユニットを指定する操作がされた場合（例えば、画像形成部８２のアイコンをタッチした場合）には、制御部３０は、その操作内容に基づいて通電すべき処理ユニット（画像形成部８２）に対する通電を開始する（Ｓ２９）。そして、制御部３０は、当該処理ユニット（画像形成部８２）のアイコンを点滅させて、変更後の通電態様を示すアイコン（図８（Ａ）参照）を表示部１２に表示する（Ｓ３０）。また、制御部３０は、処理ユニット対応表（図４参照）を参照して、通電態様を変更した処理ユニット（画像形成部８２）に関連する全ての動作モード（図８（Ｂ）参照）を表示部１２に表示して、ユーザに動作モードを選択させる（Ｓ３１）。制御部３０は、処理ユニット対応表を参照して、ユーザが選択した動作モード（例えば、プリンタモード）のみで使用する処理ユニット（ＬＡＮ接続部４０４）への通電を開始し（Ｓ３２）、変更後の通電態様を示すアイコン（図９（Ａ）参照）を表示部１２に表示する（Ｓ３３）。なお、その後は、Ｓ１の判断ステップに移行し、上述と同様の処理を実行する。
【００６６】
Ｓ２７の監視ステップにおいて、通電すべき処理ユニットを指定する操作がされない場合には、制御部３０は、さらなる節電を指定する操作がされるか否かを監視する（Ｓ２８）。例えば、この実施形態では、Ｓ２８の監視ステップにおいて、全てのインターフェースをオフにしたり、ファックス受信機能以外の機能をオフにしたりする指示がされるか否かを監視している。
【００６７】
Ｓ２８の監視ステップにて、さらなる節電を指定する操作がされた場合には、制御部３０は、指示に基づいて通電態様を変更し（Ｓ３４）、変更後の通電態様を示すアイコンを表示部１２に表示して（Ｓ３５）、再びＳ２１の監視ステップに移行する。また、Ｓ２８の監視ステップにて、さらなる節電を指定する操作がされない場合には、Ｓ２１の監視ステップに移行し、上述と同様の処理を実行する。
【００６８】
以上の実施形態によれば、複合機は、予め通電態様を変更する処理ユニットを選択させた後、当該処理ユニットを使用する動作モードの中から選択させて、選択肢（選択対象の動作モード）を減らすことができるため、煩雑な操作をせずに、実行したい動作モードを容易に選択することができる。また、複合機は、各処理ユニットの通電態様を表示するため、各処理ユニットに対する通電制御の操作性及び視認性を向上させることできる。
【００６９】
なお、上述の実施形態では、選択された動作モードを実行する際に通電が必要な処理ユニットのみを通電させた。しかし、スリープモードの処理ユニット（外部からの入力信号を受信する処理ユニット）と選択された動作モードを実行する際に通電が必要な処理ユニットとを通電させてもよい。例えば、プリンタモードが選択されると、図９（Ａ）に示すアイコンを表示したが、図１７（Ａ）に示すアイコンを表示してもよい。また、ＵＳＢ印刷モード、コピーモードが選択されると、それぞれ図９（Ｂ）、図９（Ｃ）に示すアイコンを表示したが、図１７（Ｂ）、図１７（Ｃ）に示すアイコンを表示してもよい。
【００７０】
なお、上述の実施形態では、通電態様を変更する処理ユニットが指定されると、当該処理ユニットの通電態様を変更するとともに、当該処理ユニットに応じた動作モードを選択可能としている。そして、選択された動作モードに応じた処理ユニットの通電態様を変更した。しかし、通電態様を変更する処理ユニットが指定されると、当該処理ユニットに応じた動作モードを選択可能とし、動作モードが選択された後に、当該処理ユニットの通電態様と、選択された動作モードに応じた処理ユニットの通電態様と、を変更してもよい。
【００７１】
なお、上述の実施形態では、各処理ユニットのアイコンに対応する位置のタッチを検出することで、通電態様を変更したが、各処理ユニット名とそれぞれに対応するボタンとを設け、ボタンの押下により通電態様を変更してもよい。また、通電態様を変更した処理ユニットに応じた動作モードのアイコンに対する位置のタッチを検出することで動作モードを選択させたが、各動作モードとそれぞれに対応するボタンとを設け、ボタンの押下により動作モードを選択させてもよい。
【００７２】
なお、上述の実施形態では、画像形成装置を例に挙げて説明したが、例えば、ＡＭ／ＦＭチューナ部、再生部（ＭＤやＣＤの再生部）、インターフェース部（ＵＳＢ接続部）等を備えるシステムコンポ、チューナ部（放送受信部）、再生部、録画部、及びインターフェース部（ＬＡＮ接続部）等を備えるテレビとレコーダのように複数の処理ユニットを備えた処理装置であればよい。
【００７３】
上述の実施形態の説明は、全ての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【符号の説明】
【００７４】
１０−操作パネル
２０−メイン電源基板
２２−サブ電源基板
２６−通電切換部
３０−制御部
３２−電源制御部
４０−インターフェース部
５０−複合機
２６１〜２６６−ＦＥＴ基板
【図１】
2011087160.tif 000003
【図２】
2011087160.tif 000004
【図３】
2011087160.tif 000005
【図４】
2011087160.tif 000006
【図５】
2011087160.tif 000007
【図６】
2011087160.tif 000008
【図７】
2011087160.tif 000009
【図８】
2011087160.tif 000010
【図９】
2011087160.tif 000011
【図１０】
2011087160.tif 000012
【図１１】
2011087160.tif 000013
【図１２】
2011087160.tif 000014
【図１３】
2011087160.tif 000015
【図１４】
2011087160.tif 000016
【図１５】
2011087160.tif 000017
【図１６】
2011087160.tif 000018
【図１７】
2011087160.tif 000019